(57)【要約】【課題】赤外線装置であって、レンズを搭載し映像を撮影するための装置（以下、撮像装置とする）において赤外線通信ができ、さらに撮像装置の撮影対象確認部から赤外線の受光場所を確認できる赤外線装置を提供する。【解決手段】撮像装置に搭載され、さらに撮像装置の光軸上に搭載されることを特長とする赤外線装置。【選択図】図１
2008182653.tif 000002
【特許請求の範囲】
【請求項１】
赤外線装置において、レンズを搭載し映像を撮影するための装置（以下、撮像装置とする）に搭載することを特長とする赤外線装置。
【請求項２】
赤外線装置において、撮像装置の光軸上に搭載されることを特長とする赤外線装置。
【発明の詳細な説明】
【技術分野】
【０００１】本発明は、レンズを搭載し映像を撮影するための装置（以下、撮像装置とする）において、その撮影対象確認部から赤外線の受光場所を確認できる赤外線装置に関する。
【背景技術】
【０００２】現在、撮像装置で撮影した情報を情報端末または情報蓄積機器など他の機器へ送信するためには、撮像装置と他の機器をケーブルで接続する必要がある。【０００３】赤外線送受信素子を搭載している機器は、赤外線送受信素子を搭載している機器同士での情報の送受信を、機器同士を赤外線の照射距離内に近づけ赤外線送受光部で赤外線を送受光する、赤外線通信によって行うことができる。
【発明の開示】
【発明が解決しようとする課題】
【０００４】撮像装置で撮影した情報を情報端末または情報蓄積機器などの機器に送信するには、撮像装置と受信側の機器をケーブルでつなぐ必要がある。しかしケーブルでつなげる際には、ケーブル長に拘束される場合や、ケーブルの接続口にケーブルの端子を挿すのが困難な場合など、さまざまな問題がある。また、ケーブルは忘れたり失くしたりしやすく、必要なときに手元にない場合作業ができない、といった問題もある。【０００５】赤外線通信は、送信側の赤外線装置から赤外線を送信し、受信側の赤外線装置の赤外線受光部に受光させることによって行われる。しかし、送信した赤外線が受信側の赤外線受光部に当たっているかどうかは目で確認することができない。赤外線を赤外線受光部へ確実に命中させるには経験による学習が必要であり、うまく赤外線を送信できず苦労することもある。【０００６】本発明は、上記の問題を解決しようとするものである。まず、撮像装置から他の機器への情報の送受信を赤外線通信で行えるようにする。さらにそのための赤外線装置は、赤外線の受光状態を撮像装置で確認できるような場所に搭載するようにする。本発明は、このような赤外線装置を提供することを目的とする。
【課題を解決するための手段】
【０００７】上記課題は、以下の本発明によって解決することができる。請求項１に記載した発明は、赤外線装置において、撮像装置に搭載することを特長とする赤外線装置からなる。【０００８】赤外線装置を搭載した機器は、同じく赤外線装置が搭載されている機器間で赤外線通信を行うことができる。そのため、撮像装置に赤外線装置を搭載することで、当該撮像装置と他の機器間で情報の送受信をする際、他方の機器が赤外線装置を搭載していれば、ケーブルを使用することなく、赤外線通信によって情報を送受信することができる。【０００９】請求項２に記載した発明は、赤外線装置において、撮像装置の光軸上に搭載された赤外線装置からなる。【００１０】撮像装置の光軸上に赤外線装置を搭載することで、撮影対象確認部で受信側の機器のどこに赤外線が当たっているかを確認することができ、確実に受信側の機器の赤外線受光部を狙って赤外線を送信することができる。
【発明を実施するための最良の形態】
【００１１】上記の本発明について、図面を用いて説明する。但し、本発明はこれらの図面に限定されるものではない。図１は、本発明の赤外線装置の第１の実施例の構成を示す断面図である。撮像装置の一例としてデジタル一眼レフカメラを、撮影対象確認部の一例としてファインダーをあげる。図中の１はデジタル一眼レフカメラ本体、２はミラー、３はシャッター、４はフィルム、５はファインダー、６はペンタリズム、７はスクリーン、８はレンズ、９は光軸、Ａは赤外線装置をそれぞれ示す。赤外線装置Ａは光軸９上に搭載されている。【００１２】図１は、デジタル一眼レフカメラ本体１の光軸９上に搭載された赤外線装置Ａを示している。【００１３】このように、デジタル一眼レフカメラ本体１に赤外線装置Ａを搭載することで、デジタル一眼レフカメラ１と赤外線装置を搭載された他の機器との情報の送受信を赤外線通信によって行うことが可能となる。さらに、赤外線装置Ａを光軸９上に搭載することで、ファインダー５で受信側の機器での赤外線の受光場所を確認することができる。【００１４】赤外線装置Ａを搭載する場所は、図１に示した場所だけに限定されない。光軸９上であればどこでもよい。【００１５】図２は、本発明における赤外線装置を搭載した撮像装置を使っての赤外線通信の詳細動作を示すフローチャートである。この図を用いて、本発明の動作について説明する。【００１６】最初の手順として、本発明における赤外線装置を搭載した撮像装置から送信したい情報を選択する（Ｓ１）。続いて、選択した情報を赤外線通信によって送信するための手順に移る。まず、撮像装置のレンズを受信側の機器の赤外線受光部の方向に向ける（Ｓ２）。その際、撮像装置と受信側機器間の距離は、赤外線装置の照射距離内にする。次に、撮像装置の撮影対象確認部で、赤外線が受信側機器のどこに当たっているか、赤外線受光部に正しく当たっているかを確認する（Ｓ３）。赤外線が受信側機器の赤外線受光部に当たっていなければ、当たるよう撮像装置の場所や向きを調節する（Ｓ４）。撮像装置からの赤外線が、受信側機器の赤外線受光部に当たったら、撮像装置の送信ボタンを押し、情報を送信する（Ｓ５）。【００１７】図３は、本発明における赤外線装置を搭載した撮像装置で受信側機器での赤外線の受光状態を確認する様子を示した図である。図中の１０は赤外線、１１は液晶モニタ、１２は送信する情報、１３は受信側の機器、１４は赤外線受光部、１５は赤外線が命中している場所をそれぞれ示す。本説明では、受信側の機器１３の一例としてデスクトップパソコンを、送信する情報１２の一例として画像をあげる。図中の赤外線を示す１０、送信する情報１２、および赤外線の命中している場所を示す１５はイメージである。【００１８】本発明は、本発明における赤外線装置を情報を送信する撮像装置に搭載することで、赤外線通信をする際、情報を送信する撮像装置の撮影対象確認部に受信側の機器で赤外線を受光している場所が表示されることで、確実に受信側の機器の赤外線受光部に赤外線を受光させることができることを特長としている。図３で示すように、映像を送信するデジタル一眼レフカメラ本体１のファインダー５で、赤外線１０が受信側のデスクトップパソコン１３のどこに当たっているかを確認することができる。図３では、ファインダー５から、赤外線１０がデスクトップパソコン１３の赤外線受光部１４に命中していないことがわかる。そのため、デスクトップパソコン１３の赤外線受光部１４に命中するよう、デジタル一眼レフカメラ本体１の場所や向きを調節する必要がある。【００１９】液晶モニタ１１で送信したい画像１２を選択し、送信したい画像１２を確実に送信することができる。
【発明の効果】
【００２０】本発明の赤外線装置によると、撮像装置と他の機器間の情報の送受信を赤外線通信で行うことができるため、従来、機器間で情報を送受信する際必要だったケーブルが不要になる。さらに、本発明の赤外線装置を撮像装置の光軸上に搭載することにより、撮影対象確認部から赤外線の受光状態を目で確認することができ、確実に受信側機器の赤外線受光部に受光させることが可能となる。
【図面の簡単な説明】
【００２１】
【図１】本発明の赤外線装置を搭載した撮像装置の断面図である。
【図２】本発明の詳細動作を示すフローチャートである。
【図３】本発明の赤外線装置を搭載した撮像装置から情報を送信している様子を示すイメージ図である。
【符号の説明】
【００２２】１      デジタル一眼レフカメラ本体
２      ミラー
３      シャッター
４      フィルム
５      ファインダー
６      ペンタリズム
７      スクリーン
８      レンズ
９      光軸
１０    赤外線
１１    液晶モニタ
１２    送信する情報
１３    受信側の機器
１４    赤外線受光部
１５    赤外線が命中している場所
Ａ      赤外線装置
【図１】
2008182653.tif 000003
【図２】
2008182653.tif 000004
【図３】
2008182653.tif 000005